(57)【特許請求の範囲】
【請求項１】
上下方向を向く左右１対の側部フレームを有する背フレームに、袋状の張り材を被嵌して張設してなる椅子の背凭れにおいて、
前記張り材の両側部内面と、その部分に接触する前記左右の側部フレームの外側面との少なくともいずれか一方に、張り材と側部フレームとの接触部の摺動抵抗を小としうる低摩擦部材を設けたことを特徴とする椅子の背凭れ。
【請求項２】
上下方向を向く左右１対の側部フレームを有する背フレームに、袋状の張り材を被嵌して張設してなる椅子の背凭れにおいて、
前記張り材における座者の背中を支持する上部側の両側部内面と、その部分に接触する前記左右の側部フレームの外側面との少なくともいずれか一方に、張り材と側部フレームとの接触部の摺動抵抗を小としうる低摩擦部材を設け、かつ、張り材における座者の腰部付近を支持する下部側の両側部内面と、その部分に接触する前記左右の側部フレームの外側面との少なくともいずれか一方に、張り材と側部フレームとの接触部の摺動抵抗を大としうる高摩擦部材を設けたことを特徴とする椅子の背凭れ。
【請求項３】
張り材を袋状に形成するべく、その両側端部を内方に折り重ねて縫着した縫着部に、高摩擦部材の一側端部を、前記縫着部を覆うようにして、縫着により固定してなる請求項２記載の椅子の背凭れ。
【請求項４】
張り材を袋状に形成するべく、その両側端部を内方に折り重ねて縫着した縫着部に、低摩擦部材の一側端部を、前記縫着部を覆うようにして、縫着により固定してなる請求項１〜３のいずれかに記載の椅子の背凭れ。
【請求項５】
高摩擦部材を、ポリウレタン樹脂またはその発泡体、ウレタン系エラストマー、ゴムのいずれかにより形成してなる請求項２または３に記載の椅子の背凭れ。
【請求項６】
低摩擦部材を、ポリアミド樹脂、フッソ樹脂、ポリアセタールのいずれかにより形成してなる請求項１〜５のいずれかに記載の椅子の背凭れ。
【発明の詳細な説明】
【技術分野】
【０００１】
本発明は、背フレームに、袋状の張り材を被嵌して張設してなる椅子の背凭れに関する。
【背景技術】
【０００２】
この種の背凭れとしては、例えば特許文献１及び２に記載されているものがある。
【先行技術文献】
【特許文献】
【０００３】
【特許文献１】欧州特許出願公開第０９２２４１９号明細書
【特許文献２】特開２００３−１３５２００号公報
【発明の概要】
【発明が解決しようとする課題】
【０００４】
上記特許文献１及び２に記載されている背凭れにおける袋状の張り材には、通気性と伸縮性、及び引張強度等の観点から、合成繊維をメッシュ状に編成したものが使用されることが多い。
このような張り材を、所定の緊張状態をもって背フレームに被嵌して張設すると、背フレームにおける左右の側部フレームの外側面に、袋状をなす張り材の両側部の内周面が強く接触して、互いの接触部の摺動抵抗が大となるため、次のような問題が発生することがある。
すなわち、座者が背凭れに凭れ掛けると、背フレームの前側に位置する張り材の前面部が後方に撓むのに伴い、背フレームの後側に位置する張り材の後面部が引っ張られて、張り材の前面部側に回り込むようになるが、この際、背フレームにおける左右の側部フレームと、張り材の両側部内面との接触部の摺動抵抗が大であると、張り材の後面部が前面部側に円滑に回り込むのが困難となるので、張り材の前面部が後方に効果的に撓まなかったり、柔軟性に欠けたりし、座者の背中を快適に支持することができなくなることがある。
また、側部フレームと張り材との接触部の摺動抵抗が大であると、背中を背凭れに凭れ掛けたときに、側部フレームと張り材との接触部より、不快な摺動音を発することがある。
【０００５】
さらに、張り材における座者の腰部付近を支持する下部側の両側部と、側部フレームとの接触部の摺動抵抗を大とするとともに、背中を支持する張り材の上部側の両側部と、側部フレームとの接触部の摺動抵抗を小とすると、張り材の下部のランバーサポート効果により、腰部付近が快適に支持されるとともに、背中も快適に支持されるようになるが、いずれの引用文献に記載の発明も、このように、摺動抵抗を変化させることについての配慮は何らなされていない。
【０００６】
本発明は、上記問題点に鑑みてなされたもので、張り材の前面部を後方に効果的に撓ませることにより、快適な着座感が得られるようにし、かつ背フレームの側部フレームと張り材との接触部より、不快な摺動音が発生するのを防止しうるようにし、さらに、座者の腰部と背中を快適に支持しうるようにした椅子の背凭れを提供することを目的としている。
【課題を解決するための手段】
【０００７】
本発明によると、上記課題は、次の各項のようにして解決される。
（１）上下方向を向く左右１対の側部フレームを有する背フレームに、袋状の張り材を被嵌して張設してなる椅子の背凭れにおいて、前記張り材の両側部内面と、その部分に接触する前記左右の側部フレームの外側面との少なくともいずれか一方に、張り材と側部フレームとの接触部の摺動抵抗を小としうる低摩擦部材を設ける。
【０００８】
このような構成とすると、座者が背凭れに凭れ掛けた際に、側部フレームの外側面に接触している張り材の両側部が、前面側に円滑に回り込むことにより、張り材の前面部を、座者の背中にフィットするように、後方に効果的に撓ませることが可能となり、快適な着座感が得られる。
また、張り材の両側部が前面部側に円滑に回り込むので、張り材と側部フレームとの接触部より、不快な摺動音を発するのが防止される。
【０００９】
（２）上下方向を向く左右１対の側部フレームを有する背フレームに、袋状の張り材を被嵌して張設してなる椅子の背凭れにおいて、前記張り材における座者の背中を支持する上部側の両側部内面と、その部分に接触する前記左右の側部フレームの外側面との少なくともいずれか一方に、張り材と側部フレームとの接触部の摺動抵抗を小としうる低摩擦部材を設け、かつ、張り材における座者の腰部付近を支持する下部側の両側部内面と、その部分に接触する前記左右の側部フレームの外側面との少なくともいずれか一方に、張り材と側部フレームとの接触部の摺動抵抗を大としうる高摩擦部材を設ける。
【００１０】
このような構成とすると、座者が背凭れに凭れ掛けた際に、側部フレームの外側面に接触している張り材における上部側の両側部が、前面側に円滑に回り込み、座者の背中を支持する張り材の上部側の前面部を、背中にフィットするように、後方に効果的に撓ませることができるとともに、座者の腰部付近を支持する張り材の下部側の両側部は、前面側に回り込みにくくなって、張り材の下部側の前面部が後方に過度に撓むことがなくなる。
その結果、座者の背中が柔軟性をもって快適に支持される一方、腰部付近も、ランバーサポート効果により快適に支持されるので、快適な着座感が得られる。
また、側部フレームに対し、張り材の下部がずり上がったり、弛みや皺等が発生したりするのを防止することができる。
【００１１】
（３）上記(２)項において、張り材を袋状に形成するべく、その両側端部を内方に折り重ねて縫着した縫着部に、高摩擦部材の一側端部を、前記縫着部を覆うようにして、縫着により固定する。
【００１２】
（４）上記(１)〜(３)項のいずれかにおいて、張り材を袋状に形成するべく、その両側端部を内方に折り重ねて縫着した縫着部に、低摩擦部材の一側端部を、前記縫着部を覆うようにして、縫着により固定する。
【００１３】
上記(３)または(４)項のような構成とすると、張り材の両側端部の縫着部を覆うようにして、低摩擦部材または高摩擦部材の一側端部を縫着したことにより、張り材の両側端部の縫着部が補強され、ほつれ等が発生する恐れがない。
また、張り材は、その両側部内面に固定した低摩擦部材または高摩擦部材を介して、側部フレームに対して摺動するので、張り材の両側部が摩耗するのが抑えられ、張り材を張り替える時期が延びて、コストが削減される。
【００１４】
（５）上記(２)または(３)項において、高摩擦部材を、ポリウレタン樹脂またはその発泡体、ウレタン系エラストマー、ゴムのいずれかにより形成する。
【００１５】
（６）上記(１)〜(５)項のいずれかにおいて、低摩擦部材を、ポリアミド樹脂、フッソ樹脂、ポリアセタールのいずれかにより形成する。
【００１６】
上記(５)または(６)項のような構成とすると、いずれの材料も、低摩擦部材または高摩擦部材として好ましく、かつ成形が容易で汎用性の高い材料であるので、比較的安価に実施することができる。
【発明の効果】
【００１７】
本発明によれば、張り材の前面部を後方に効果的に撓ませることにより、快適な着座感が得られ、かつ背フレームの側部フレームと張り材との接触部より、不快な摺動音を発するのを防止することができ、さらに、座者の腰部と背中を快適に支持しうるようにした椅子の背凭れを提供することができる。
【図面の簡単な説明】
【００１８】
【図１】本発明の背凭れの一実施形態を備える椅子の待機状態の側面図である。
【図２】同じく、着座状態の側面図である。
【図３】背フレームに張り材を被嵌する前の状態を背凭れの斜め後方より見た斜視図である。
【図４】図１のIV-IV線における拡大横断面図である。
【図５】同じく、V-V線における拡大横断面図である。
【図６】図４のＡ部の拡大図である。
【図７】図５のＢ部の拡大図である。
【図８】背フレームへの低摩擦部材及び高摩擦部材の取付形態の変形例を示す拡大断面図である。
【図９】同じく、背フレームへの低摩擦部材及び高摩擦部材の取付形態の他の変形例を示す拡大断面図である。
【発明を実施するための形態】
【００１９】
以下、本発明の実施形態を、図面に基づいて説明する。
図１及び図２は、本発明の背凭れの一実施形態を備える椅子の側面図であり、この椅子は、円板状のベース１の中央に脚柱２を立設し、この脚柱２の上端に支基３を固着した下部構成体４を備えている。
【００２０】
支基３は、平面視および側面視において、脚柱２の上端より前方に向かってほぼ三角形状に拡開する形状をなしている。
【００２１】
支基３の前端部には、座５の前下部が、左右方向の基軸６をもって枢着され、座５は、図１に示すように、後上向きに傾斜する待機位置と、図２に示すように、水平か、やや後下向きに傾斜する使用位置とに、基軸６を中心として回動しうるようになっている。
【００２２】
座５の両側後部において、座５には、左右１対の肘掛け７、７が、一体的に形成されている。
各肘掛け７は、座５の後部両側から起立し、かつ後面が、後記する背凭れ９の支軸１１を中心とする側面視半円弧状または扇形の湾曲面８に突出する背凭れ枢支部７ａと、この背凭れ枢支部７ａの上部より前向きに延出する上向弧状の肘当て部７ｂとからなり、全体の形状は、前上方に向かって収束する側面視ほぼ前向三角形をなしている。
【００２３】
肘当て部７ｂの前後方向の寸法は、その前端部が、図１に示す待機位置において、座５の枢着部である基軸６の中心を通る垂直線Ｓよりも前方に位置するように設定されている。
また、図２に示すように、座５が使用位置にあるときには、肘当て部７ｂの前端部が、上記垂直線Ｓよりも後方、すなわち座５が枢着されている基軸６よりも若干後方に位置するようにしてある。
【００２４】
左右の肘掛け７、７における背凭れ枢支部７ａのやや前方寄りの外側面には、背凭れ９の両側下部より前方に延出する前向側片１０の前端部が、ほぼ左右方向を向く支軸１１をもって枢着され、背凭れ９は、座５および肘掛け７に対して、図２に示す起立位置と、図示しない後傾位置とに、支軸１１を中心として回動しうるようになっている。
【００２５】
背凭れ９の両側下部における背凭れ枢支部７ａの後面と対向する部分は、背凭れ枢支部７ａの後面の湾曲面８とほぼ補形をなす円弧状の凹曲面１２としてあり、互いの対向面が近接するようにして、背凭れ９は、支軸１１を中心として回動しうるようになっている。背凭れ９における後記する下部フレーム２０の左右方向の中央部と、支基３の前端部上面との間には、背凭れ９を起立方向に付勢するガススプリング、または圧縮ばね等からなる第１の付勢手段１３が設けられている。
【００２６】
また、支基３内には、座５を待機位置に向かって付勢することにより、着座者が起立するのを補助しうる第２の付勢手段１４が設けられている。
この第２の付勢手段１４は、例えば軸線が左右方向を向くゴムトーションユニット１５と、このゴムトーションユニット１５に連係され、図１において側面視反時計方向に付勢された後方を向く第１リンク１６と、この第１リンク１６の先端部に左右方向の軸をもって下端部が枢着され、かつ上端部が、座５の前後方向の中間部の下面に、左右方向の軸をもって枢着された斜め後上方を向く第２リンク１７とからなっている。
【００２７】
図３に示すように、背凭れ９は、上下方向を向き、かつ下端に上記前向側片１０が連設された、前後寸法が下方に向かって漸次大をなす左右１対の側部フレーム１８、１８の上端同士を、左右方向を向く上部フレーム１９により連結し、かつ両側部フレーム１８、１８の下端同士を、左右方向を向く下部フレーム２０により連結し、さらに、上部フレーム１９と下部フレーム２０の左右方向の中間部同士を、両側部フレーム１８、１８より後方に位置する上下方向を向く中間フレーム２１をもって連結することにより形成した、正面形が縦長方形枠状の背フレーム２２を備えている。
【００２８】
この背フレーム２２は、適度の弾性を有する合成樹脂材料により一体的に形成されている。この合成樹脂材料には、ガラス繊維や炭素繊維等の強化繊維を加えて強度を高めておくのが好ましい。
【００２９】
両側部フレーム１８、１８の下部と、中間フレーム２１の下部とは、側面視において、曲率中心が前方に位置する円弧状の湾曲形状とされ、上部フレーム１９と下部フレーム２０とは、平面視において、中間部が両側部より後方に位置する湾曲形状としてある。これにより、背フレーム２２に後記する袋状の張り材２６を張設した際、張り材２６における背フレーム２２の前方及び後方に位置する前面部と後面部とが、前後に比較的大きく離間するようになる。
また、背凭れ９の下部も、座５および肘掛け７の後端より後方に離間することにより、背凭れ９が回動する際、座５および肘掛け７の後端と干渉するのが防止され、背凭れ９の後方への回動範囲を大とすることができる。
【００３０】
中間フレーム２１は、背フレーム２２における他のフレーム構成部材より細く形成することにより、他部より弾性変形し易くしてあり、後述する張り材２６の前面部に負荷が掛かった際に、中間フレーム２１が前方に弾性変形しうるようにしてある。
【００３１】
背フレーム２２の上端には、両側部フレーム１８、１８の上端に、上方を向き、かつ側面視において中間部が上下部より前方に位置するように湾曲する延長フレーム２３、２３を連設し、両延長フレーム２３、２３の上端同士を、左右方向を向く頂部フレーム２４により連結することにより形成したヘッドレストフレーム２５が一体的に設けられている。
【００３２】
図３に示すように、背フレーム２２とヘッドレストフレーム２５とには、下端と両側下部とが開口する伸縮性を有する袋状の張り材２６が、上方より被嵌して張設されている。この張り材２６は、例えば合成繊維をメッシュ状に編成したものよりなっている。張り材２６は、ヘッドレストフレーム２５を覆うヘッドレスト覆い部２７と、背フレーム２２を覆う背凭れ覆い部２８とからなっている。
【００３３】
張り材２６は、その両側下部の開口から、左右の前向側片１０、１０を前方に向けて突出させ、かつ背フレーム２２の前方及び後方に位置する前面部２８ａと後面部２８ｂとの下端部同士を、背フレーム２２における下部フレーム２０の下方において、面ファスナ、ホック、ファスナ、その他の結合手段(いずれも図示略)により互いに結合することにより、所定の緊張状態をもって背フレーム２２とヘッドレストフレーム２５に張設されている。
【００３４】
なお、ヘッドレストを必要としないときは、ヘッドレストフレーム２５及び張り材２６におけるヘッドレスト覆い部２７を省略して実施すればよい。
【００３５】
図３〜図７に示すように、張り材２６の両側部の内面、すなわち、背フレーム２２の側部フレーム１８、１８における前向側片１０部を除く外側面と、ヘッドレストフレーム２５の延長フレーム２３、２３の外側面とに接触する部分の内面には、両フレーム１８、２３に対し摺動抵抗の小さな薄肉可撓性の低摩擦部材２９、２９が取り付けられている。
【００３６】
また、座者の腰部付近を支持する張り材２６の両側部内面、すなわち、両側部フレーム１８の下部の外側面に接触する張り材２６の内面には、側部フレーム１８に対し摺動抵抗の大きな薄肉可撓性の高摩擦部材３０、３０が取り付けられている。
【００３７】
上記低摩擦部材２９の材質としては、例えばポリアミド樹脂(商品名ナイロン)、フッソ樹脂(テフロン(登録商標)、商品名ダイフロン)、ポリアセタール等が好ましく、また、高摩擦部材３０の材質としては、例えばポリウレタン樹脂またはその発泡体、ウレタン系エラストマー、ゴム等が好ましい。
【００３８】
図６及び図７の拡大断面図に示すように、張り材２６は、その両側端部を、左右の側部フレーム１８と延長フレーム２３のいずれか一方の前部側の内面と近接する位置において、内方に折り重ねて縫い合わせることにより、袋状に形成されており、この縫い合わせと同時に、低摩擦部材２９及び高摩擦部材３０の前端部におけるＵ字状に折り返した部分が、張り材２６の折り重ね部を覆うようにして縫着されている。このようにすると、張り材２６の両側端部の縫着部２６ａが補強される。なお、低摩擦部材２９及び高摩擦部材３０をＵ字状に折り返さないで、それらの前端部を、単に張り材２６の両側端部の縫着部２６ａに同時に縫着してもよい。
【００３９】
なお、低摩擦部材２９と高摩擦部材３０の取付け方としては、上記縫着による以外に、側部フレーム１８と延長フレーム２３の外側面または張り材２６の両側部の内面に、接着剤等により直接固着してもよい。
また、図８に示すように、側部フレーム１８及び延長フレーム２３の外側面に、上下方向を向く凹溝３１を設け、この凹溝３１に、低摩擦部材２９と高摩擦部材３０の内側面に突設した上下方向を向く凸部３２を嵌合することにより、低摩擦部材２９と高摩擦部材３０を、側部フレーム１８と延長フレーム２３の外側面に着脱可能に取り付けてもよい。
【００４０】
さらに、図９に示すように、弾性変形可能な低摩擦部材２９と高摩擦部材３０を、側部フレーム１８と延長フレーム２３の外側面に、着脱自在に外嵌してもよく、このようにすると、側部フレーム１８と延長フレーム２３に、図８のような凹溝３１を設ける必要はなくなる。
なお、低摩擦部材２９と高摩擦部材３０は、側部フレーム１８と延長フレーム２３の外側面にコーティング等により形成した皮膜とすることもある。
【００４１】
上記のような構成とした背凭れ９において、座者が背凭れ９に凭れ掛けると、図４の２点鎖線に示すように、張り材２６の前面部２８ａが伸長しながら後方に撓むのに伴い、張り材２６の後面部２８ｂが引っ張られて伸長することにより、その両側部が、矢印のように若干前面部２８ａ側に回り込み、前面部８ａの後方への撓み量が増大する。この際、張り材２６の両側部の内面に取付けられた低摩擦部材２９が、側部フレーム１８における下部を除く外側面と、延長フレーム２３の外側面とに接触しているので、それらの接触部の摺動抵抗が小さくなる。
【００４２】
その結果、張り材２６における下部を除いた上方の両側部が、前面側に円滑に回り込むことにより、座者の背中と頭部を支持する張り材２６の前面部２８ａを、背中や頭部にフィットするように、後方に効果的に撓ませることが可能となり、背中や頭部が柔軟性をもって快適に支持される。
また、張り材２６の両側部が前面部２８ａ側に回り込む際に、不快な摺動音を発するのを防止することができる。
さらに、張り材２６は、その両側部内面に固定した低摩擦部材２９を介して、側部フレーム１８に対して摺動するので、張り材２６の両側部が摩耗するのが抑えられ、その張り替え時期が延びて、コストが削減される。
【００４３】
一方、座者の腰部付近を支持する張り材２６の両側部内面、すなわち、左右の側部フレーム１８の下部外側面に接触する部分の張り材２６の内面には、高摩擦部材３０が取り付けられているので、側部フレーム１８と張り材２６の下部両側部との摺動抵抗が大となる。
その結果、側部フレーム１８の下部が前方に円弧状に湾曲していても、張り材２６の両側部の下部が、ずり上がることはなく、張り材２６の下部が弛んだり、皺が生じたりするのが防止される。
また、張り材２６の下部両側部が、背フレーム２２の前面側に回り込むのが防止または抑制されるので、張り材２６の前面部２８ａの下部、すなわち、座者の腰部付近を支持する部分のテンションが確保され、過度に後方に撓むことがなくなる。これにより、ランバーサポート効果が発揮され、座者の腰部が快適に支持されるので、座り心地が向上する。
なお、図８及び図９に示す実施形態においては、側部フレーム１８に取付けた低摩擦部材２９と高摩擦部材３０に対し、張り材２６の両側部が摺動することにより、張り材２６と側部フレーム１８との摺動抵抗が、小または大となり、上記と同様の作用効果が得られる。
【００４４】
本発明は、上記実施形態のみに限定されるものではなく、幾多の変形した態様での実施が可能である。
例えば、上記実施形態では、低摩擦部材２９を、上下方向に長い連続するものとしたが、短寸の複数の低摩擦部材２９を、上下方向に所定間隔おきに設けてもよい。
【００４５】
また、上記実施形態では、低摩擦部材２９を、張り材２６の両側部の内面に設けた態様と、側部フレーム１８の外側面に設けた態様を例示したが、側部フレーム１８の外側面と、張り材２６の両側部内面との両方に低摩擦部材２９を設け、低摩擦部材２９同士を接触させるようにすることもある。
【００４６】
本発明は、座５が上下に傾動しない一般的な椅子の背凭れにも適用しうることは、勿論である。
【符号の説明】
【００４７】
１  ベース
２  脚柱
３  支基
４  下部構成体
５  座
６  基軸
７  肘掛け
７ａ 背凭れ枢支部
７ｂ 肘当て部
８  湾曲面
９  背凭れ
１０  前向側片
１１  支軸
１２  凹曲面
１３  第１の付勢手段
１４  第２の付勢手段
１５  ゴムトーションユニット
１６  第１リンク
１７  第２リンク
１８  側部フレーム
１９  上部フレーム
２０  下部フレーム
２１  中間フレーム
２２  背フレーム
２３  延長フレーム
２４  頂部フレーム
２５  ヘッドレストフレーム
２６  張り材
２６ａ縫着部
２７  ヘッドレスト覆い部
２８  背凭れ覆い部
２８ａ前面部
２８ｂ後面部
２９  低摩擦部材
３０  高摩擦部材
３１  凹溝
３２  凸部
Ｓ    垂直線
【図１】
0005524564.tif 000002
【図２】
0005524564.tif 000003
【図３】
0005524564.tif 000004
【図４】
0005524564.tif 000005
【図５】
0005524564.tif 000006
【図６】
0005524564.tif 000007
【図７】
0005524564.tif 000008
【図８】
0005524564.tif 000009
【図９】
0005524564.tif 000010